(57)【要約】【課題】複数の映像の配置を容易に変更し、それらの映像を適切な表示形態で表示することができるマルチディスプレイシステムを提供することを目的とする。【解決手段】マルチディスプレイシステムは、マルチディスプレイ５と画像処理装置６と制御装置７とを備えている。制御装置７は、グループ情報管理部８と、各グループの領域内に、当該グループに含まれる各ウィンドウを当該グループの領域内での位置およびサイズの関係を保持したまま並べて表示する第１の表示モードと、各グループの領域内に１つのウィンドウを表示し、当該ウィンドウに、当該グループに含まれる各ウィンドウに関わる映像を巡回表示する第２の表示モードとを有し、グループの領域のサイズに応じて、当該グループに含まれるウィンドウの表示形態を第１の表示モードおよび第２の表示モードのいずれかに切り替えるウィンドウ制御部９とを備えている。【選択図】図１
2017151129.tif 000002
【特許請求の範囲】
【請求項１】
複数のディスプレイを配列して１つの表示画面を形成するマルチディスプレイと、
自身に入力された複数の映像信号によって示される複数の映像を複数のウィンドウとして前記マルチディスプレイ上に表示する画像処理装置と、
前記画像処理装置を制御する制御装置と、
を備え、
前記制御装置は、
前記複数のウィンドウをグループに分けて管理し、前記マルチディスプレイ上における各前記グループの領域のサイズ、および各前記グループに含まれる各ウィンドウの当該グループの領域内での位置およびサイズを記憶するグループ情報管理部と、
各前記グループの領域内に、当該グループに含まれる各ウィンドウを当該グループの領域内での位置およびサイズの関係を保持したまま並べて表示する第１の表示モードと、各前記グループの領域内に１つのウィンドウを表示し、当該ウィンドウに、当該グループに含まれる各ウィンドウに関わる映像を巡回表示する第２の表示モードとを有し、前記グループの領域のサイズに応じて、当該グループに含まれるウィンドウの表示形態を前記第１の表示モードおよび前記第２の表示モードのいずれかに切り替えるウィンドウ制御部と、
を備える、マルチディスプレイシステム。
【請求項２】
前記グループの領域のサイズが変更されたとき、前記ウィンドウ制御部は、変更前の前記グループの領域のアスペクト比を保持するように当該グループの領域のサイズを調整する、請求項１記載のマルチディスプレイシステム。
【請求項３】
前記グループの領域のサイズが変更されたとき、前記ウィンドウ制御部は、変更前の前記ウィンドウのアスペクト比を保持するように当該ウィンドウのサイズを調整する、請求項１または請求項２記載のマルチディスプレイシステム。
【請求項４】
前記グループ情報管理部は、表示モードの切替基準サイズをさらに記憶し、
前記ウィンドウ制御部は、前記グループの領域のサイズと前記切替基準サイズとを比較して、前記第１の表示モードおよび前記第２の表示モードのいずれかに切り替える、請求項１から請求項３のいずれか１つに記載のマルチディスプレイシステム。
【請求項５】
前記グループの領域のサイズが変更されたとき、前記ウィンドウ制御部は、前記グループ情報管理部に前記グループの情報を記憶した時点での前記グループの領域のサイズと、変更後の当該グループの領域のサイズとを比較して、前記第１の表示モードおよび前記第２の表示モードのいずれかに切り替える、請求項１記載のマルチディスプレイシステム。
【発明の詳細な説明】
【技術分野】
【０００１】
本発明は、複数のディスプレイで１つの表示画面を形成するマルチディスプレイシステムに関するものである。
【背景技術】
【０００２】
複数のディスプレイを例えば格子状に配置して１つの表示画面を形成するマルチディスプレイシステムは、電力、交通またはプラント等のインフラ分野において、監視に用いる映像表示装置として広く活用されている。
【０００３】
当該マルチディスプレイシステムは、例えば通常時には多数の監視カメラで撮像した映像を均等に並べて表示し、緊急事態が発生すると映像の配置を変えて特定の映像を大きく表示するといった運用がなされている。また、監視制御は一時の停滞も許されない分野であり、監視映像または監視情報を表示するマルチディスプレイには高度な信頼性が要求されている。
【０００４】
例えば特許文献１には、故障が発生して表示不可能になった映像の一覧を表示し、ユーザーの操作により故障していない正常なディスプレイに映像ウィンドウを再配置することによって、必要な映像の表示を継続する技術が開示されている。
【先行技術文献】
【特許文献】
【０００５】
【特許文献１】特許第５６６５５９７号公報
【発明の概要】
【発明が解決しようとする課題】
【０００６】
しかしながら、上記のような映像表示を行なうには、緊急時に一時的に表示する映像または、ディスプレイの故障時に再配置する映像を表示するためのスペースをマルチディスプレイ上に確保する必要がある。そのため、既に表示されている映像の位置およびサイズを調整する必要がある。マルチディスプレイシステムには多数の映像が表示されることが多いため、この調整作業には非常に手間がかかるという問題がある。また、新たに表示したい映像に加えて既に表示されている映像を全て表示するためには各映像を縮小して配置する必要があるが、映像のサイズによっては映像の内容が認識しづらくなるという問題もある。また、緊急事態が解除されたり、故障していたディスプレイが復旧したりした場合に、位置およびサイズを調整したウィンドウを再び元の配置に戻す際にも多くの操作を要する。
【０００７】
そこで、本発明は、複数の映像の配置を容易に変更し、それらの映像を適切な表示形態で表示することができるマルチディスプレイシステムを提供することを目的とする。
【課題を解決するための手段】
【０００８】
本発明に係るマルチディスプレイシステムは、複数のディスプレイを配列して１つの表示画面を形成するマルチディスプレイと、自身に入力された複数の映像信号によって示される複数の映像を複数のウィンドウとして前記マルチディスプレイ上に表示する画像処理装置と、前記画像処理装置を制御する制御装置とを備え、前記制御装置は、前記複数のウィンドウをグループに分けて管理し、前記マルチディスプレイ上における各前記グループの領域のサイズ、および各前記グループに含まれる各ウィンドウの当該グループの領域内での位置およびサイズを記憶するグループ情報管理部と、各前記グループの領域内に、当該グループに含まれる各ウィンドウを当該グループの領域内での位置およびサイズの関係を保持したまま並べて表示する第１の表示モードと、各前記グループの領域内に１つのウィンドウを表示し、当該ウィンドウに、当該グループに含まれる各ウィンドウに関わる映像を巡回表示する第２の表示モードとを有し、前記グループの領域のサイズに応じて、当該グループに含まれるウィンドウの表示形態を前記第１の表示モードおよび前記第２の表示モードのいずれかに切り替えるウィンドウ制御部とを備えるものである。
【発明の効果】
【０００９】
本発明によれば、ウィンドウ制御部は、グループの領域のサイズに応じて、当該グループに含まれるウィンドウの表示形態を第１の表示モードおよび第２の表示モードのいずれかに切り替える。したがって、複数の映像の配置を容易に変更し、かつ、これらの映像を適切な表示形態で表示することができる。
【図面の簡単な説明】
【００１０】
【図１】実施の形態に係るマルチディスプレイシステムの構成の一例を示すブロック図である。
【図２】ウィンドウの配置例を示す図である。
【図３】グループの設定例を示す図である。
【図４】グループ情報の一例を示す図である。
【図５】ウィンドウ制御部の動作を示すフローチャートである。
【図６】グループの配置例を示す図である。
【図７】グループ情報の一例を示す図である。
【図８】単体ウィンドウ情報の一例を示す図である。
【図９】マルチディスプレイ上に表示されている単体ウィンドウおよびグループの情報の一例を示す図である。
【図１０】ウィンドウの配置例を示す図である。
【図１１】グループの配置例を示す図である。
【図１２】グループ情報の一例を示す図である。
【図１３】マルチディスプレイ上に表示されている単体ウィンドウおよびグループの情報の一例を示す図である。
【図１４】ウィンドウの配置例を示す図である。
【図１５】グループ情報の他の例を示す図である。
【図１６】マルチディスプレイ上に表示されているグループ番号の情報の一例を示す図である。
【図１７】マルチディスプレイ上に表示されているグループ番号の情報の一例を示す図である。
【図１８】グループ情報の他の例を示す図である。
【発明を実施するための形態】
【００１１】
＜実施の形態＞
本発明の実施の形態について、図面を用いて以下に説明する。以下の説明では、同一の構成要素には同一の符号を付してある。それらの名称および機能も同じである。したがって、それらについての詳細な説明を省略する場合がある。
【００１２】
図１は、実施の形態に係るマルチディスプレイシステムの構成の一例を示すブロック図である。図１に示すように、マルチディスプレイシステムは、マルチディスプレイ５と、画像処理装置６と、制御装置７とを備えている。
【００１３】
マルチディスプレイ５は、複数（例えば４つ）のディスプレイ１〜４を有するディスプレイ群であり、ディスプレイ１〜４は例えば格子状に配置されている。すなわち、マルチディスプレイ５は、複数のディスプレイ１〜４を配列して１つの表示画面を形成している。マルチディスプレイ５は、例えばＤＶＩケーブル等を介して、各ディスプレイ１〜４用の映像信号を画像処理装置６から受信し、当該映像信号に基づいて映像を表示する。また、ディスプレイ１〜４の各々は、例えば横１９２０画素、縦１０８０画素のディスプレイ画面を有する表示装置である。よって、マルチディスプレイ５の画面全体では、３８４０×２１６０画素のスクリーンサイズとなる。
【００１４】
画像処理装置６には、複数の映像信号が入力される。図１に示す映像出力用ＰＣ１１およびカメラ１２，１３は、画像処理装置６に入力される複数の映像信号を出力する装置の一例である。画像処理装置６は、制御装置７と協働して、複数の映像信号によって示される複数の映像（以下、「映像ソース」ともいう）をそれぞれ拡大縮小させた上で、または等倍で、マルチディスプレイ５上の位置に複数のウィンドウとして表示する。より詳細には、画像処理装置６は、制御装置７と協働して、各ディスプレイ１〜４用の映像信号を生成し、これをマルチディスプレイ５へと出力する。
【００１５】
制御装置７は、グループ情報管理部８と、ウィンドウ制御部９と、操作部１０とを備え、画像処理装置６を制御する。なお、制御装置７は、ＲＳ−２３２ＣまたはＥｔｈｅｒｎｅｔ（登録商標）などの汎用通信インターフェースの他、キーボード、マウス、およびディスプレイモニター等のユーザーインターフェースを備えるＰＣ等である。制御装置７は、この通信インターフェースを介して画像処理装置６と相互に通信し、操作部１０を介してユーザーからの操作を受け付ける。ここで、操作部１０は例えばキーボードまたはマウス等である。
【００１６】
グループ情報管理部８は、複数のウィンドウをグループに分けて管理し、マルチディスプレイ５上における各グループの領域の表示位置（絶対位置）と表示サイズ（絶対サイズ）、および各グループに含まれる各ウィンドウの当該グループの領域内での相対位置および相対サイズを記憶する。また、ウィンドウ制御部９は、グループ情報管理部８が記憶している情報に基づいて、マルチディスプレイ５における各グループ内の各ウィンドウの表示位置および表示サイズを算出する。そして、制御装置７は、ウィンドウ制御部９が算出した情報に基づいて、画像処理装置６と協働してマルチディスプレイ５上にウィンドウを表示する。
【００１７】
図２は、ウィンドウの配置例を示す図である。より具体的には、図２は、画像処理装置６に入力された複数の入力信号のうちの映像ソースＡ〜Ｐを、１６枚のウィンドウとしてマルチディスプレイ５上に格子状に隙間なく敷き詰めて表示した例を示す図である。この例では、各ウィンドウの大きさは全て水平サイズ９６０、垂直サイズ５４０で統一されている。
【００１８】
図３は、グループの設定例（初期状態）を示す図である。本実施の形態では、図２に示した１６枚のウィンドウは４枚ずつ４つのグループに分けてグループ情報管理部８に記憶されている。つまり、図３に示すように、各グループに含まれる４枚のウィンドウがグループ内において縦２枚、横２枚の格子状に並ぶような相対関係を持つようにグループ分けされている。より詳細には、グループ情報管理部８は、映像ソースＡ，Ｂ，Ｅ，Ｆを表示したウィンドウをグループ１、映像ソースＣ，Ｄ，Ｇ，Ｈを表示したウィンドウをグループ２、映像ソースＩ，Ｊ，Ｍ，Ｎを表示したウィンドウをグループ３、映像ソースＫ，Ｌ，Ｏ，Ｐを表示したウィンドウをグループ４として記憶している。
【００１９】
なお、各グループにいずれのウィンドウを登録するかどうかは、操作部１０を介してユーザーが設定できるようにしてもよい。例えば、制御装置７に接続されたディスプレイ装置（図示省略）に、現在マルチディスプレイ５上に表示しているウィンドウの一覧を表示し、操作部１０にて、グループに含めたいウィンドウを一覧から選択できる操作を受け付けるようにしてもよい。
【００２０】
図４は、グループ情報の一例を示す図であり、より具体的には、グループ情報管理部８で管理されるグループ情報のうち、図３に示す４つのグループに対するグループ情報を示した図である。図４に示すように、グループ情報には、グループを識別するためのグループ番号、グループの領域のマルチディスプレイ５上の位置を示すグループの絶対位置（グループの領域の位置）、グループの領域のマルチディスプレイ５上のサイズを示すグループの絶対サイズ（グループの領域のサイズ）、グループに含まれるウィンドウの表示形態を切り替える基準となる表示モード切替基準サイズ（切替基準サイズ）、グループに含まれるウィンドウ数、グループに含まれる各ウィンドウに関連する映像ソース番号、グループの領域内での各ウィンドウの相対位置（位置）、およびグループの領域内での各ウィンドウの相対サイズ（サイズ）が含まれている。
【００２１】
なお、グループの絶対位置の値は、マルチディスプレイ５の画面の左上端を（０，０）とした場合の、グループの領域の左上端の座標値である。また、ウィンドウ数としては、１以上の整数を取りうる。
【００２２】
グループの領域内での各ウィンドウの相対位置は、グループの領域の左上端の座標を（０，０）、右下端の座標を（１，１）とみなした場合の比率で表されている。より詳細には、マルチディスプレイ５上における各ウィンドウの絶対位置（ＤＷＰｘ，ＤＷＰｙ）は、グループの絶対位置を（ＤＧＰｘ，ＤＧＰｙ）、グループの絶対サイズを（ＤＧＳｘ，ＤＧＳｙ）、ウィンドウの相対位置を（ＷＰｘ，ＷＰｙ）で表示した場合、以下の数１で表される。数１により、例えばマルチディスプレイ５上におけるグループ４のウィンドウ４の絶対位置は（２８８０，１６２０）と計算される。
【００２３】
【数１】
2017151129.tif 000003
【００２４】
グループ内での各ウィンドウの相対サイズは、グループの絶対サイズの水平および垂直の値をそれぞれ１とみなしたときの比率で表されている。より詳細には、マルチディスプレイ５上における各ウィンドウの絶対サイズ（ＤＷＳｘ，ＤＷＳｙ）は、ウィンドウの相対位置を（ＷＳｘ，ＷＳｙ）で表示した場合、以下の数２で表される。数２により、例えばマルチディスプレイ５上におけるグループ４のウィンドウ４の絶対サイズは（９６０，５４０）と計算される。
【００２５】
【数２】
2017151129.tif 000004
【００２６】
なお、グループ情報に含まれるグループ番号以外の値については、ユーザーが操作部１０を介して変更することができる。例えば、グループの絶対サイズは、マウス操作に応じて変更できるようにしてもよいし、キーボードを介して水平サイズおよび垂直サイズのそれぞれの値を直接入力して変更できるようにしてもよい。
【００２７】
次に、図５を用いて、ウィンドウ制御部９の動作について説明する。図５は、ウィンドウ制御部９の動作を示すフローチャートである。マルチディスプレイシステム、より具体的には制御装置７の電源がオンされたとき、制御装置７はその時点で記憶されているグループ情報管理部８の情報を元に、マルチディスプレイシステムの初期状態として表示すべきウィンドウの位置およびサイズを算出し、マルチディスプレイ５上にそれらのウィンドウを表示する。その後、制御装置７のウィンドウ制御部９は、図５のフローチャートに示す動作を開始する。
【００２８】
まず、ウィンドウ制御部９は、グループ情報管理部８に記憶されている各グループの絶対サイズまたは表示モード切替基準サイズの値が変更されたかどうかを監視する（ステップＳ１）。ここで、各グループの絶対サイズおよび表示モード切替基準サイズの値の変更は例えば次の方法で行われる。変更方法としては、操作部１０を介してユーザーが変更操作を行う場合と、所定の信号が入力される場合とがある。
【００２９】
最初に、ユーザーが変更操作を行う場合について説明する。ユーザーが変更操作を行う場合として２つの方法がある。１つ目は、操作画面に表示されたウィンドウまたはグループの領域の矩形の辺を、ユーザーがマウスでドラッグする方法である。また、操作画面がタッチパネルである場合は、ピンチアウトまたはピンチイン操作をして拡縮してもよい。２つ目は、キーボードから、数値入力ボックスにサイズの値を入力して、特定のウィンドウまたはグループの領域のサイズを決定する方法である。
【００３０】
次に、所定の信号が入力される場合について説明する。緊急時またはディスプレイの故障時に表示するウィンドウまたはグループの位置またはサイズを、予めレイアウトパターンとしてグループ情報管理部８に記憶させておく。さらに、マルチディスプレイシステムは、緊急ボタン押下またはディスプレイの故障を検出する検出部（図示省略）を備える。ここで、検出部が緊急ボタン押下またはディスプレイの故障を検出した場合、制御装置７がレイアウトパターンの展開を自動的に実行し、記憶されているレイアウトパターンの内容に沿ってウィンドウまたはグループをマルチディスプレイ上に自動的に配置する。つまりこの方法では、制御装置７が、マルチディスプレイシステムの状態の変化に応じて、各グループの絶対サイズをあらかじめ決められたサイズへと自動的に変更する。
【００３１】
図５の説明に戻って、各グループの絶対サイズまたは表示モード切替基準サイズの値が変更された場合（ステップＳ１においてＹｅｓ）、ウィンドウ制御部９は、グループの領域のサイズに応じて、具体的には、グループの絶対サイズと表示モード切替基準サイズとを比較し、グループの絶対サイズが表示モード切替基準サイズ以上であるかどうかを条件として、グループに含まれる各ウィンドウの表示形態を決定する。
【００３２】
さらに具体的に説明すると、グループの絶対サイズの水平または垂直の値が、対応する表示モード切替基準サイズの水平または垂直の値以上である場合（ステップＳ２においてＹｅｓ）、ウィンドウ制御部９は、グループに含まれるウィンドウの表示形態を第１の表示モードに切り替える（ステップＳ３）。ここで、第１の表示モードとは、各グループの領域内に、当該グループに含まれる各ウィンドウを当該グループの領域内での相対的な位置およびサイズの関係を保持したまま並べて表示するモードである。
【００３３】
グループの絶対サイズの水平または垂直の値が、対応する表示モード切替基準サイズの水平または垂直の値未満である場合（ステップＳ２においてＮｏ）、ウィンドウ制御部９は、グループに含まれるウィンドウの表示形態を第２の表示モードに切り替える（ステップＳ４）。ここで、第２の表示モードとは、各グループの領域内に１つのウィンドウを表示し、当該ウィンドウに、当該グループに含まれる各ウィンドウに関わる映像を巡回表示するモードである。
【００３４】
最後に、ウィンドウ制御部９は、決定した表示形態に基づいてマルチディスプレイ５上における各ウィンドウの位置およびサイズを算出し、画像処理装置６と協働してマルチディスプレイ５上に各映像をウィンドウとして表示し（ステップＳ５）、処理をステップＳ１へ戻す。
【００３５】
＜映像配置変更例１＞
次に、映像配置変更例１について説明する。図６は、グループの配置例を示す図であり、より具体的には、図３の状態から各グループの配置を変更した一例である。図６では、図３の状態で表示していたグループ１〜４に加えて新たに映像ソースＸがマルチディスプレイ５上に表示されており、映像ソースＸの表示スペースを確保するためにグループ１，３，４が図３の状態から縮小して配置されている。なお、図６の斜線部分は、映像が表示されない領域であり、以降の図面においても同様である。
【００３６】
図７は、グループ情報の一例を示す図であり、より具体的には、図６のグループの配置例におけるグループ１〜４のグループ情報を示した図である。図７では、図４と比べて、グループ１，３，４のグループの絶対位置および絶対サイズが変更されている。
【００３７】
ここで、ウィンドウ制御部９は、グループ１，３，４についてグループの絶対サイズと表示モード切替基準サイズとを比較する。図６のグループの配置では、いずれのグループにおいてもグループの絶対サイズが表示モード切替基準サイズ以上であるため、それぞれのグループの表示形態は第１の表示モードに決定される。
【００３８】
また、本実施の形態では、制御装置７は、単体ウィンドウ情報、グループ情報とを組み合わせることで、全てのウィンドウの情報を管理する。具体的には、図７で示されるグループ情報に図８と図９に示す情報を追加することでマルチディスプレイ５上の全てウィンドウの位置およびサイズを決定することができる。
【００３９】
図８は、単体ウィンドウ情報の一例を示す図である。ここで、単体ウィンドウとは、特定の映像を１つだけ表示する単一のウィンドウである。図８では、各単体ウィンドウの絶対位置、絶対サイズおよび関連する映像ソース番号が定義されている。
【００４０】
図９は、マルチディスプレイ５上に表示されている単体ウィンドウおよびグループの情報の一例を示す図である。図９に示すグループとその番号１〜４は、図７のグループ１〜４に該当する。ウィンドウ制御部９は、図９における「単体ウィンドウ」については図８に示す情報を、「グループ」については図７に示す情報を参照することで、全てのウィンドウの絶対位置および絶対サイズを決定する。
【００４１】
図１０は、ウィンドウの配置例を示す図であり、より具体的には、図６のグループ配置に対応してウィンドウ制御部９が決定したウィンドウ配置を示した図である。表示形態を第１の表示モードに決定されたグループ１，３，４には、各グループに含まれるウィンドウが、グループの領域内での相対的な位置およびサイズの関係を保持した状態でグループ内に並べて表示される。
【００４２】
例えばグループ１では、マルチディスプレイ５上の位置（０，１２６０）にサイズ（１２８０，７２０）に配置されたグループの中に、マルチディスプレイ５上の位置（０，１２６０）にウィンドウ１（映像ソースＡ）が、（６４０，１２６０）の位置にウィンドウ２（映像ソースＢ）が、（０，１６２０）の位置にウィンドウ３（映像ソースＥ）が、（６４０，１６２０）の位置にウィンドウ４（映像ソースＦ）が、それぞれサイズ（６４０，３６０）で表示される。
【００４３】
＜映像配置変更例２＞
次に、映像配置変更例２について説明する。図１１は、グループの配置例を示す図であり、より具体的には、図３の状態から各グループの配置を変更した一例である。図１１では、図３の状態で表示していたグループ１〜４に加えて新たに映像ソースＹがマルチディスプレイ５上に表示されており、映像ソースＹの表示スペースを確保するために、グループ１〜４が図３の状態から縮小して配置されている。
【００４４】
図１２は、グループ情報の一例を示す図であり、より具体的には、図１１に示したグループ配置例における４つのグループに対するグループ情報を示した図である。図１２では、図４と比べて、グループ１〜４のグループの絶対位置および絶対サイズが変更されている。なお、当該変更箇所は図１２において太字で示されている。
【００４５】
ここで、ウィンドウ制御部９は、グループ１〜４についてグループの絶対サイズと表示モード切替基準サイズとを比較する。図１１のグループ配置では、いずれのグループにおいてもグループの絶対サイズが表示モード切替基準サイズ未満であるため、それぞれのグループの表示形態は第２の表示モードに決定される。
【００４６】
図１３は、マルチディスプレイ５上に表示されている単体ウィンドウおよびグループの情報の一例を示す図である。図１３に示されるグループとその番号１〜４は、図１２のグループ１〜４に該当する。ウィンドウ制御部９は、図１３における「単体ウィンドウ」については図８に示す内容を、「グループ」については図１２に示す内容を参照することで、全てのウィンドウの絶対位置および絶対サイズを決定する。
【００４７】
図１４は、ウィンドウの配置例を示す図であり、より具体的には、図１１におけるグループ配置に対応してウィンドウ制御部９が決定したウィンドウ配置を示した図である。表示形態を第２の表示モードに決定されたグループ１〜４には、各グループの領域内に１つのウィンドウが表示され、当該ウィンドウに、当該グループに含まれる各ウィンドウに関わる映像が周期的に巡回表示される。例えばグループ１では、マルチディスプレイ５上の（０，１６２０）の位置にサイズ（９６０，５４０）のウィンドウが１つ表示され、そのウィンドウに映像ソース番号Ａ，Ｂ，Ｅ，Ｆの映像が、Ａ，Ｂ，Ｅ，Ｆ，Ａ，Ｂ…の順番で切り替えられて表示される。
【００４８】
なお、本実施の形態では、単体ウィンドウ情報とグループ情報とを組み合わせることで、全てのウィンドウの情報を管理する場合について説明したが、グループ情報のみで全てのウィンドウの情報を管理することも可能である。このことについて詳細に説明する。
【００４９】
制御装置７が、グループの情報のみで全てのウィンドウの情報を管理する場合は、図４に示されるようなグループ情報に、図１５および図１６（図１７）に示す情報を追加することでマルチディスプレイ５上の全てウィンドウの位置およびサイズを決定できる。
【００５０】
図１５は、グループ情報の他の例を示す図である。図１５では、映像ソースＸ（Ｙ）のウィンドウ１つのみを有した新しいグループ５（６）が定義されている。実際には、図１５に示す情報は図４に示す情報に追加される。
【００５１】
図１６は、マルチディスプレイ５上に表示されているグループ番号の情報の一例を示す図である。図１６では、グループ情報管理部８に登録されているグループ１〜６の中から、実際にマルチディスプレイ５上に表示するグループ番号が管理されている。ここで、図１６は、マルチディスプレイ５上の各グループの表示状態が図６に示すような状態である場合について示している。ウィンドウ制御部９は、図１６に示す情報に含まれるグループについてグループ情報を参照し、各グループの領域内に表示するウィンドウの数および表示形態をそれぞれ決定することで、マルチディスプレイ５上に表示されている全てのウィンドウの位置およびサイズを決定する。具体的には、図１６に示すグループについて、図７および図１５に示す情報を参照することで、全てのウィンドウの絶対位置および絶対サイズを決定する。
【００５２】
図１７は、マルチディスプレイ５上に表示されているグループ番号の情報の一例を示す図である。図１７は、マルチディスプレイ５上の各グループの表示状態が図１１に示すような状態である場合について示している。図１６と同様に、ウィンドウ制御部９は、図１７に示すグループについて、図１２および図１５に示す情報を参照することで、全てのウィンドウの絶対位置および絶対サイズを決定する。
【００５３】
または、図１８に示すように、図１６および図１７に示す情報の代わりに、グループ情報に「グループの表示可否」の項目を加えてもよい。図１８は、グループ情報の他の例を示す図である。図１８の例では、マルチディスプレイ５上に現在表示中のグループを「可」とし、現在表示していないグループを「不可」としている。
【００５４】
＜効果＞
以上のように、実施の形態に係るマルチディスプレイシステムでは、ウィンドウ制御部９は、グループの領域のサイズに応じて、当該グループに含まれるウィンドウの表示形態を第１の表示モードおよび第２の表示モードのいずれかに切り替える。したがって、複数の映像の配置を容易に変更し、かつ、これらの映像を適切な表示形態で表示することができる。
【００５５】
より具体的には、複数の映像を一まとまりとしたグループに対して変更操作を行うことにより、グループに含まれる各ウィンドウの位置またはサイズを少ない操作で変更できるとともに、特別な操作なしにそれぞれのウィンドウをグループの領域のサイズに沿った表示形態で映像を表示できる。これにより、例えば監視業務で用いられているマルチディスプレイシステムの運用状況の変化によってマルチディスプレイ５上に表示する映像を一時的に追加する場合に、既に表示されている映像の位置またはサイズを調整したり、再び元の配置に戻したりする手間が軽減される。また、映像の表示形態を自動的に切り替えることで、グループに含まれるウィンドウのそれぞれのサイズが小さくなり映像の内容が認識しづらくなるという問題を防止できる。
【００５６】
グループ情報管理部８は、表示モードの切替基準サイズをさらに記憶し、ウィンドウ制御部９は、グループの絶対サイズと表示モード切替基準サイズとを比較して、第１の表示モードおよび第２の表示モードのいずれかに切り替える。したがって、表示モード切替基準サイズを用いることで簡単に映像を適切な表示形態で表示することができる。
【００５７】
なお、本実施の形態では、既に表示している映像に加えて新たに表示したい映像を追加する例を挙げた。しかし、これに限定されることなく、本実施の形態に係るマルチディスプレイシステムは、マルチディスプレイ５のうちのいずれかのディスプレイが故障した場合についても適用できる。例えば、本実施の形態でのディスプレイ１が運用中に故障した場合に、グループ１〜４に対して図３の状態から図６のようにグループの絶対位置および絶対サイズを変更すれば、それまでディスプレイ１に表示していた映像を含めた１６種類の映像の全てを故障していない他のディスプレイ２〜４に表示することができ、少ない操作で映像の表示を復旧させることができる。
【００５８】
また、本実施の形態では、グループ情報に含まれる値を変更できるとしたが、グループの領域のサイズが変更されたとき、ウィンドウ制御部９は、変更前のグループの領域のアスペクト比を保持するように当該グループの領域のサイズを調整してもよい。
【００５９】
具体的には、グループ情報に、グループをグループ情報管理部８へ登録した時点でのサイズまたはアスペクト比を保存できるようにしておく。そして、グループの領域の絶対サイズのうち水平または垂直サイズの値に対してユーザーが変更操作を行った場合などに、グループ情報管理部８は、グループ登録時のアスペクト比が保持されるようにグループの絶対サイズの垂直または水平サイズを変化させる。これにより、ユーザーがグループの絶対サイズを変更し、その結果、表示形態として第１の表示モードに切り替えられた場合に、グループ内に含まれるウィンドウに関わる映像についてグループを登録したときのアスペクト比、すなわち、変更前のアスペクト比を常に保ちながら表示することができる。
【００６０】
また、本実施の形態では、グループ内に含まれるウィンドウのアスペクト比が全て統一されているグループ例を挙げ、図１４では第２の表示モードで巡回表示する映像を全て同じサイズで表示する例を挙げた。しかし、これに限定されることなく、グループに含まれる各ウィンドウのサイズ、アスペクト比、および巡回表示される映像のサイズはグループ内で統一されていなくてもよい。すなわち、グループの領域のサイズが変更されたとき、ウィンドウ制御部９は、変更前のウィンドウのアスペクト比を保持するように当該ウィンドウのサイズを調整してもよい。
【００６１】
例えば、巡回表示する映像のウィンドウのサイズは、グループ情報をグループ情報管理部８へ登録した時点での各ウィンドウのアスペクト比に沿って、映像ごとに変化させる。これにより、ユーザーがグループの絶対サイズを変更し、その結果、表示形態として第２の表示モードに切り替えられた場合などに、グループ内に含まれるウィンドウに関わる映像についてグループを登録したときのアスペクト比、すなわち、変更前のアスペクト比を常に保ちながら表示することができる。
【００６２】
また、本実施の形態では、第１の表示モードで表示されるウィンドウおよび第２の表示モードで表示される映像について、グループ情報をグループ情報管理部８へ登録した時点での全てのウィンドウおよび全ての映像ソースをグループ内に表示する例を挙げた。しかし、これに限定されることなく、グループ内に表示する内容については全てのウィンドウおよび全ての映像でなくてもよい。例えば、グループ情報に、各ウィンドウのグループ内での表示有無を保存できるようにし、表示有無が「表示あり」となっているウィンドウおよびこれに関連する映像ソースのみをグループ内に表示するようにしてもよい。
【００６３】
また、本実施の形態では、グループ内のウィンドウの表示形態を決定する際に、変更後のグループの絶対サイズの値が表示モード切替基準サイズの値以上かまたはそれ未満かどうかを条件とした。しかし、これに限定されることなく、例えば、変更後のグループの絶対サイズが、グループ情報をグループ情報管理部８へ登録した時点でのグループのサイズ以上かまたはそれ未満かを条件としてもよい。すなわち、グループの領域のサイズが変更されたとき、ウィンドウ制御部９は、グループ情報登録時のグループの領域のサイズと、変更後の当該グループの領域のサイズとを比較して、第１の表示モードおよび第２の表示モードのいずれかに切り替えてもよい。この場合、表示形態の決定条件である表示モード切替基準サイズをユーザーが設定する手間を省略できる。
【００６４】
なお、本発明は、その発明の範囲内において、実施の形態を適宜、変形、省略することが可能である。
【符号の説明】
【００６５】
５  マルチディスプレイ、６  画像処理装置、７  制御装置、８  グループ情報管理部、９  ウィンドウ制御部。
【図１】
2017151129.tif 000005
【図２】
2017151129.tif 000006
【図３】
2017151129.tif 000007
【図４】
2017151129.tif 000008
【図５】
2017151129.tif 000009
【図６】
2017151129.tif 000010
【図７】
2017151129.tif 000011
【図８】
2017151129.tif 000012
【図９】
2017151129.tif 000013
【図１０】
2017151129.tif 000014
【図１１】
2017151129.tif 000015
【図１２】
2017151129.tif 000016
【図１３】
2017151129.tif 000017
【図１４】
2017151129.tif 000018
【図１５】
2017151129.tif 000019
【図１６】
2017151129.tif 000020
【図１７】
2017151129.tif 000021
【図１８】
2017151129.tif 000022